(57)【要約】【課題】ウォームアップ時間の短縮化を行うことができる。【解決手段】この発明は、定着装置（４０）の誘導加熱装置（５０）を駆動制御する駆動制御部（６６）と電子複写機全体を制御する本体制御部（９１）を別個（独立）に有し、電源投入時の立ち上げ時に、上記誘導加熱装置（５０）に対する立ち上げ処理を上記電子複写機の本体の上記誘導加熱装置（５０）以外の他の個所に対する立ち上げ処理よりも先行して開始するものである。【選択図】図５
2005134918.tif 000002
【特許請求の範囲】
【請求項１】
加熱部材と、この加熱部材渦電流を生じさせるよう高周波磁界を発生させるコイルとを少なくとも有し、記録媒体上の現像剤像を定着させる定着装置を有する画像形成装置において、
商用交流電源の出力を整流する整流回路と、
この整流回路により整流された出力を所定周波数の高周波に変換し、上記コイルに高周波を出力するスイッチング回路と、
このスイッチング回路を制御する第１の制御回路と、
上記商用交流電源から電力が供給され、上記画像形成装置のうち上記定着装置以外の個所を制御する第２の制御回路と、
上記第１の制御回路と上記第２の制御回路を電気的に絶縁しつつ、上記第１の制御回路と第２の制御回路との間でのデータ送受信を中継するインターフェイス回路と、
からなり、上記商用交流電源の電源スイッチ投入時に、上記第１の制御回路と上記第２の制御回路は平行して立ち上げ処理を行い、上記第１の制御回路は、上記コイルへ高周波出力を先行して供給することを特徴とする画像形成装置。
【請求項２】
上記第１の制御回路は、上記定着装置の異常を判断する判断手段をさらに有することを特徴とする請求項１記載の画像形成装置。
【請求項３】
上記画像形成装置に対するメンテナンスを行うためのサービスモードに設定する設定手段と、
この設定手段により上記サービスモードに設定された際に、上記第１の制御回路による上記コイルへの先行しての高周波出力供給を停止することと特徴とする請求項１記載の画像形成装置。
【請求項４】
上記インターフェイス回路は、送信側のフォトダイオードと受信側のフォトトランジスタとから構成させることを特徴とする請求項１記載の画像形成装置。
【請求項５】
上記第１の制御手段は、上記第２の制御手段からの信号により上記第１の制御回路による上記コイルへの先行しての高周波出力供給を停止することを
特徴とする請求項１記載の画像形成装置。
【請求項６】
上記第１の制御回路と上記第２の制御回路に供給される電源電圧は異なることを特徴とする請求項１記載の画像形成装置。
【発明の詳細な説明】
【技術分野】
【０００１】
この発明は、コイルから高周波磁界を発生させ、その高周波磁界を発熱部材に与えることによりその発熱部材に渦電流を生じさせ、渦電流損に基づく発熱部材の自己発熱により記録媒体上の現像剤像を定着させる定着装置を有する画像形成装置に関する。
【背景技術】
【０００２】
デジタル技術を利用した画像形成装置いわゆる電子複写機は、原稿が載置された原稿台を露光し、その原稿台からの反射光量に対応する画像信号をＣＣＤ（電荷転送デバイス）型のラインセンサから得、そのラインセンサから得られる画像信号に応じたレーザ光を感光体ドラムに照射して感光体ドラムの周面に静電潜像を形成し、その静電潜像をあらかじめ帯電（負極性）がなされた現像剤（トナー）の付着により顕像化する。感光体ドラムには、その感光体ドラムの回転にタイミングを合わせて用紙が送られており、その用紙に感光体ドラム上の顕像（現像剤像）が転写される。こうして、現像剤像が転写された用紙は、定着装置に送られる。
【０００３】
定着装置は、加熱ローラと、この加熱ローラに接する加圧ローラとを備え、この両ローラ間に用紙を挟み込んでその用紙を搬送しながら、加熱ローラの熱によって用紙上の現像剤像を定着させる。
【０００４】
加熱ローラの熱源の一例として、誘導加熱装置がある。誘導加熱装置は、加熱ローラの内部に収容されるコイルと、このコイルに高周波電流を供給する高周波発生回路と、を備える。
【０００５】
高周波発生回路は、交流電源の電圧を整流する整流回路と、この整流回路の出力電圧（直流電圧）を所定周波数の高周波に変換するスイッチング回路と、を備える。この高周波発生回路の出力端（スイッチング回路の出力端）に上記コイルが接続される。
【０００６】
高周波発生回路が動作すると、コイルに高周波電流が供給され、コイルから高周波磁界が発生する。この高周波磁界が加熱ローラに与えられて、加熱ローラに渦電流が生じる。そして、渦電流損に基づいて加熱ローラが自己発熱し、その発熱によって用紙上の現像剤像が定着される。
【０００７】
しかし、上記電子複写機において、電源投入時の立ち上げ処理を行う際に、上記誘導加熱装置の立ち上げが他の個所の立ち上げよりも時間が掛かるものとなっている。
【０００８】
上記電子複写機の本体の上記誘導加熱装置以外の他の個所に対する立ち上げ処理を開始した後に、上記誘導加熱装置に対する立ち上げ処理を開始するようになっている。
【０００９】
このため、ウォームアップに時間が掛かってしまうという問題がある。
【発明の開示】
【発明が解決しようとする課題】
【００１０】
この発明は、上記の事情を考慮したもので、ウォームアップ時間の短縮化を行うことを目的とする。
【課題を解決するための手段】
【００１１】
この発明の画像形成装置は、加熱部材と、この加熱部材渦電流を生じさせるよう高周波磁界を発生させるコイルとを少なくとも有し、記録媒体上の現像剤像を定着させる定着装置を有するものにおいて、商用交流電源の出力を整流する整流回路と、この整流回路により整流された出力を所定周波数の高周波に変換し、上記コイルに高周波を出力するスイッチング回路と、このスイッチング回路を制御する第１の制御回路と、上記商用交流電源から電力が供給され、上記画像形成装置のうち上記定着装置以外の個所を制御する第２の制御回路と、上記第１の制御回路と上記第２の制御回路を電気的に絶縁しつつ、上記第１の制御回路と第２の制御回路との間でのデータ送受信を中継するインターフェイス回路と、からなり、上記商用交流電源の電源スイッチ投入時に、上記第１の制御回路と上記第２の制御回路は平行して立ち上げ処理を行い、上記第１の制御回路は、上記コイルへ高周波出力を先行して供給するものである。
【発明の効果】
【００１２】
この発明の画像形成装置は、ウォームアップ時間の短縮化を行うことができる。
【発明を実施するための最良の形態】
【００１３】
以下、この発明の第１の実施例について説明する。
【００１４】
まず、図１は画像形成装置たとえば電子複写機の内部の構成を示している。
【００１５】
本体１の上部に原稿載置用の原稿台２があって、その原稿台２の上に自動原稿送り装置３が設けられている。自動原稿送り装置３は、原稿を一枚ずつ原稿台２の上面に自動送りする。
【００１６】
原稿台２の下面側にキャリッジ４が往復動自在に設けられている。このキャリッジ４に露光ランプ５が設けられており、その露光ランプ５が点灯しながらキャリッジ４が往動することにより、原稿台２の全面が露光走査される。
【００１７】
この露光走査により、原稿台２に載置されている原稿の反射光像が得られ、その反射光像が反射ミラー６，７，８および変倍用レンズブロック９を介してＣＣＤ（電荷転送デバイス）型のラインセンサ（以下、ＣＣＤセンサと称する）１０に投影される。ＣＣＤセンサ１０は、受光量に対応する電圧レベルの画像信号を出力する。この画像信号は、レーザユニット２７に送られる。レーザユニット２７は、画像信号に応じたレーザ光を発する。
【００１８】
本体１内に、感光体ドラム２０が回転自在に設けられる。この感光体ドラム２０の周囲に、帯電チャージャ２１、現像器２２、転写チャージャ２３、剥離チャージャ２４、クリーナ２５、除電器２６が順次に配設される。上記レーザユニット２７から発せられるレーザ光が、帯電チャージャ２１と現像器２２との間を通り、感光体ドラム２０の周面に照射される。
【００１９】
本体１内の底部に、複数の給紙カセット３０が設けられる。これら給紙カセット３０には、記録媒体であるコピー用紙Ｐがそれぞれ多数枚収容されている。
【００２０】
各給紙カセット３０には、コピー用紙Ｐを１枚ずつ取出すためのピックアップローラ３１が設けられている。
【００２１】
コピー時、各給紙カセット３０のいずれか１つからコピー用紙Ｐが一枚ずつ取出される。取出されたコピー用紙Ｐは、分離器３２により給紙カセット３０から分離され、レジストローラ３３に送られてそこで感光体ドラム２０の回転を待つ。レジストローラ３３は、感光体ドラム２０の回転にタイミングを合わせて、コピー用紙Ｐを転写チャージャ２３と感光体ドラム２０との間に送り込む。
【００２２】
感光体ドラム２０は、コピー時、図示時計方向に回転する。帯電チャージャ２１は、高圧電源部（図示しない）から供給される高電圧を感光体ドラム２０に印加し、感光体ドラム２０の表面に静電荷を帯電させる。この帯電と、感光体ドラム２０に対するレーザユニット２７からのレーザ光の照射とにより、感光体ドラム２０上に静電潜像が形成される。
【００２３】
現像器２２は、感光体ドラム２０に現像剤を供給する。この現像剤の供給により、感光体ドラム２０上の静電潜像が顕像化される。転写チャージャ２３は、レジストローラ３３から送り込まれるコピー用紙Ｐに対し、感光体ドラム２０上の顕像（現像剤像）を転写する。転写が済んだコピー用紙Ｐは剥離チャージャ２４によって感光体ドラム２０から剥離される。剥離されたコピー用紙Ｐは、搬送ベルト３４によって定着装置４０に送られる。
【００２４】
定着装置４０は、加熱ローラ４１および加圧ローラ４２を備え、この両ローラ間にコピー用紙Ｐを挟み込んでそのコピー用紙Ｐを搬送しながら、加熱ローラ４１の熱によってコピー用紙Ｐ上の現像剤像を定着させる。定着装置４０を経たコピー用紙Ｐは、搬送ローラ３５によってトレイ３６に排出される。定着装置４０の具体的な構成を図２に示す。
【００２５】
コピー用紙Ｐの搬送路を上下に挟む位置に、導電性の加熱ローラ４１およびこの加熱ローラ４１に対し加圧状態で転接する加圧ローラ４２が設けられている。両ローラ４１，４２の転接部は一定のニップ幅を持つように維持される。
【００２６】
加熱ローラ４１は矢印方向に回転駆動される。加圧ローラ４２は、加熱ローラ４１の回転を受けて、矢印方向に回転する。この加熱ローラ４１と加圧ローラ４２との転接部(定着ポイント)をコピー用紙Ｐが通過し、かつコピー用紙Ｐが加熱ローラ４１から熱を受けることにより、コピー用紙Ｐ上の現像剤像Ｔがコピー用紙Ｐに定着される。
【００２７】
加熱ローラ４１の周囲に、コピー用紙Ｐを加熱ローラ４１から剥離させる剥離爪４３、加熱ローラ４１上に残るトナーおよび紙屑等のごみを除去するクリーニング部材４４、加熱ローラ４１の表面温度Ｔｒを検知するサーミスタ４５、加熱ローラ４１の表面に離型剤を塗布する離型剤塗布装置４６が配設される。
【００２８】
加熱ローラ４１の内部に、熱源として誘導加熱装置５０が収容される。誘導加熱装置５０は、コア５１、およびこのコア５１に装着されたコイル５２を備え、コイル５２から高周波磁界を発生させ、その高周波磁界によって加熱ローラ４１を誘導加熱する。
【００２９】
すなわち、後述の高周波発生回路６１からコイル５２に高周波電流が供給されることにより、コイル５２から高周波磁界が発生し、この高周波磁界によって加熱ローラ４１に渦電流が生じ、渦電流と加熱ローラ４１の抵抗とによる渦電流損に基づき、加熱ローラ４１が自己発熱する。
【００３０】
図３に示すように、コア５１の両端部にそれぞれ支持部材５３が取付けられ、その各支持部材５３が本体１の固定用板金（図示しない）に固定されている。これら支持部材５３により、誘導加熱装置５０が加熱ローラ４１とは別個に支持される。
【００３１】
図４に示すように、コイル５２の両端から電線（いわゆる引き出し線）５２ａ，５２ｂが導出され、その電線５２ａ，５２ｂが誘導加熱装置５０側の回路基板６０に接続される。そして、電線５２ａ，５２ｂを磁気的にシールドするためのシールド部材７０が、電線５２ａ，５２ｂを囲む状態に設けられる。
【００３２】
上記回路基板６０は、図５に示すように、商用交流電源８０に接続される入力端子６１ａ，６１ｂ、この入力端子６１ａ，６１ｂに接続された高周波発生回路６１、この高周波発生回路６１の出力端に接続された出力端子６４ａ，６４ｂ、入力端子６１ａ，６１ｂに接続された定電圧回路部６５、この定電圧回路部６５の出力端に接続された駆動制御部６６、この駆動制御部６６と本体側回路基板９０の制御部９１との間のデータ送受信を絶縁状態で行うインタフェース回路６７、上記サーミスタ４５の検知温度データを上記駆動制御部６６に取り込むための入力端子６８を備える。
【００３３】
整流回路６２は、商用交流電源８０の電圧を整流する。スイッチング回路６３は、整流回路６２の出力電圧（直流電圧）を所定周波数の高周波に変換する。定電圧回路部６５は、整流回路６２の出力電圧を駆動制御部６６の動作に適した一定レベルに調整して出力する。駆動制御部６６は、本体側回路基板９０の制御部９１から送出される指令に応じて、スイッチング回路６３に対する駆動を制御する。
【００３４】
この回路基板６０の出力端子６４ａ，６４に、上記電線５２ａ，５２ｂが接続されている。
【００３５】
本体側回路基板９０は、商用交流電源８０に接続されている。本体側回路基板９０には、制御部９１のほかに、図示していないが、本体１の各電気回路部が搭載されている。
【００３６】
上記インタフェース回路６７は、図６に示すように、誘導加熱装置５０側の回路基板６０に設けられているフォトダイオードＤ１、Ｄ２、フォトトランジスタＴ１、Ｔ２、抵抗Ｒ２、Ｒ３、Ｒ４により構成されている。フォトダイオードＤ１とフォトトランジスタＴ１、及びフォトダイオードＤ２とフォトトランジスタＴ２とにより、それぞれフォトカプラが構成されている。これにより、フォトダイオードＤ１の点灯によりフォトトランジスタＴ１がオンし、フォトダイオードＤ２の点灯によりフォトトランジスタＴ２がオンするようになっている。
【００３７】
上記フォトダイオードＤ１のアノードには、上記本体側回路基板９０の制御部９１の出力端９１ａからの出力信号が上記本体側回路基板９０側の抵抗Ｒ１を介して供給されている。このフォトダイオードＤ１のカソードには、上記本体側回路基板９０からの電源電圧ＶＤＤが印加されている。
【００３８】
これにより、制御部９１の出力端９１ａからの出力信号に応じて、フォトダイオードＤ１が点灯、消灯されるようになっている。
【００３９】
上記フォトトランジスタＴ１と抵抗Ｒ２により直列回路が構成され、抵抗Ｒ２の一端側とフォトトランジスタＴ１のカソードとの接続点に上記駆動制御部６６の入力端６６ａが接続され、抵抗Ｒ２の他端側には電源電圧ＶＣＣが印加され、フォトトランジスタＴ１のアノードは接地している。
【００４０】
これにより、フォトトランジスタＴ１のオン、オフに応じた信号が上記駆動制御部６６の入力端６６ａに供給される。
【００４１】
上記フォトダイオードＤ２のアノードには、上記駆動制御部６６の出力端６６ｂからの出力信号が抵抗Ｒ３を介して供給されている。このフォトダイオードＤ２のカソードには、電源電圧ＶＣＣが印加されている。
【００４２】
これにより、駆動制御部６６の出力端６６ｂからの出力信号に応じて、フォトダイオードＤ２が点灯、消灯されるようになっている。
【００４３】
上記フォトトランジスタＴ２と抵抗Ｒ４により直列回路が構成され、抵抗Ｒ４の一端側とフォトトランジスタＴ２のカソードとの接続点に上記本体側回路基板９０の制御部９１の入力端９１ｂが接続され、抵抗Ｒ４の他端側には上記本体側回路基板９０からの電源電圧ＶＤＤが印加され、フォトトランジスタＴ２のアノードは接地している。
【００４４】
これにより、フォトトランジスタＴ２のオン、オフに応じた信号が上記制御部９１の入力端９１ｂに供給される。
【００４５】
このような構成によれば、制御部９１の出力端９１ａからサービスモードの通知信号（Ｌレベル）が出力される。すると、上記本体側回路基板９０からの電源電圧ＶＤＤがフォトダイオードＤ１と抵抗Ｒ１の直列回路に印加され、フォトダイオードＤ１が点灯する。この点灯により、フォトトランジスタＴ１がオンすることにより、誘導加熱装置５０の回路基板６０側の電源電圧ＶＣＣがフォトトランジスタＴ１と抵抗Ｒ２による直列回路に印加され、駆動制御部６６の入力端６６ａにサービスモードの通知信号（Ｌレベル）が供給される。
【００４６】
このサービスモードの通知信号の供給に基づいて、駆動制御部６６は立ち上げ処理の中断を行うようになっている。
【００４７】
また、駆動制御部６６はステータス信号を出力端６６ａから出力する。電源異常等のエラー時、Ｈレベルの信号を出力し、正常時、Ｌレベルの信号を出力する。
【００４８】
すなわち、正常時、駆動制御部６６の出力端６６ａからＬレベルの信号が出力されている。これにより、誘導加熱装置５０の回路基板６０側の電源電圧ＶＣＣがフォトダイオードＤ２と抵抗Ｒ３による直列回路に印加され、フォトダイオードＤ２が点灯する。この点灯により、フォトトランジスタＴ２がオンすることにより、上記本体側回路基板９０からの電源電圧ＶＤＤがフォトトランジスタＴ２と抵抗Ｒ４の直列回路に印加され、制御部９１の入力端９１ｂに正常を示すステータス信号（Ｌレベル）が供給される。
【００４９】
また、異常（エラー）時、駆動制御部６６の出力端６６ａからＨレベルの信号が出力される。すると、誘導加熱装置５０の回路基板６０側の電源電圧ＶＣＣがフォトダイオードＤ２と抵抗Ｒ３による直列回路に印加されず、フォトダイオードＤ２が消灯したままとなる。これにより、フォトトランジスタＴ２がオフしたままとなり、上記本体側回路基板９０からの電源電圧ＶＤＤがフォトトランジスタＴ２と抵抗Ｒ４の直列回路に印加されず、制御部９１の入力端９１ｂに異常（エラー）を示すステータス信号（Ｈレベル）が供給される。
【００５０】
上記駆動制御部６６は、入力電源の異常、各回路部の異常、コイルの異常（断線）を判断するようになっている。
【００５１】
上記したように、定着装置４０の誘導加熱装置５０の回路基板６０側の動作制御部６６と本体側回路基板９０の制御部９１とは、インターフェース回路６７内のフォトカプラにより分離されており、絶縁されている。
【００５２】
これにより、回路基板６０側の電源電圧ＶＣＣ（１００ボルト）と、本体側回路基板９０の電源電圧ＶＤＤ（２４ボルト）とを分離、絶縁でき、回路基板６０側で異常が発生したとしても、その電源電圧ＶＣＣが本体側回路基板９０に流れ込んで故障させてしまうことを防止できる。
【００５３】
次に、電源オン時の立ち上げ処理を、図７に示すフローチャートを参照しつつ説明する。
【００５４】
すなわち、図示しない電源スイッチがオンされた際（電源オン時）、本体側回路基板９０の制御部９１による立ち上げ処理と定着装置４０の誘導加熱装置５０の回路基板６０側の動作制御部６６による立ち上げ処理とを並行して行う。
【００５５】
まず、動作制御部６６は、上記電源オンにより、立ち上げ処理つまりコイル５２への高周波電流の供給を開始する（ＳＴ１）。ついで、動作制御部６６は、上記制御部９１からサービスモードの通知があったか否かを判断する（ＳＴ２）。この判断の結果、動作制御部６６は、サービスモードの通知がなかった場合、上記立ち上げ処理を継続する（ＳＴ３）。
【００５６】
また、動作制御部６６は、エラーを判断せずに正常に動作している際、このステータスを本体側回路基板９０の制御部９１に通知する（ＳＴ４）。また、動作制御部６６は、エラーを判断した際、このステータスを本体側回路基板９０の制御部９１に通知する（ＳＴ４）。このエラー時、動作制御部６６は、立ち上げ処理つまりコイル５２への高周波電流の供給を停止する（ＳＴ５）。
【００５７】
また、動作制御部６６は、上記ステップ２において、サービスモードの通知を判断した場合、立ち上げ処理つまりコイル５２への高周波電流の供給を中断（停止）する（ＳＴ６）
また、制御部９１は上記電源オンにより、立ち上げ処理つまり定着装置４０の誘導加熱装置５０以外の個所の立ち上げ処理を開始する（ＳＴ２１）。また、制御部９１はサービスモードが選択されたか否かを判断し（ＳＴ２２）、サービスモードが選択された場合に、サービスモードの通知が誘導加熱装置５０の回路基板６０側の動作制御部６６に供給される（ＳＴ２３）。
【００５８】
この後、制御部９１は誘導加熱装置５０の動作制御部６６からエラー信号が供給された際（ＳＴ２４）、エラー処理を行う。
【００５９】
また、制御部９１は誘導加熱装置５０の動作制御部６６から正常信号が供給されている状態で、サーミスタ４５からの検知温度が所定温度に達した際、プレラン開始温度と判断し（ＳＴ２５）、プレラン処理を開始する（ＳＴ２６）。すなわち、制御部９１は定着装置４０の加熱ローラ４１を回転させ、加熱ローラ４１による全体の表面温度を均一化させる。この後、制御部９１は他の初期処理が終了した時点で、レディ状態となる。
【００６０】
上記したように、定着装置の誘導加熱装置を駆動制御する制御部と電子複写機全体を制御する本体制御部を別個（独立）に有し、電源投入時の立ち上げ時に、上記誘導加熱装置に対する立ち上げ処理を上記電子複写機の本体の上記誘導加熱装置以外の他の個所に対する立ち上げ処理よりも先行して開始するものである。
【００６１】
これにより、ウォームアップ時間を短縮することができる。
【００６２】
また、定着装置の異常時、定着装置側の制御部により異常の判断を行うことができる。
【００６３】
また、電子複写機の本体の上記誘導加熱装置以外の他の個所に対する立ち上げと並行して定着装置の立ち上げが行われる。
【００６４】
また、サービスマンによる調整モード時、あるいは定着ジャム復帰時、定着装置に対する立ち上げ処理を停止（中断）する。これにより、本体に関係なく定着装置の温度が上昇すると危険なので、立ち上げ時の、電子複写機の本体の状態によっては、定着装置に対する立ち上げ処理を停止する（安全対策）。
【００６５】
また、定着装置側の制御部と電子複写機の本体側の制御部とは、インターフェース回路内のフォトカプラにより分離されており、絶縁されている。
【００６６】
また、上記第１の実施例では、定着装置の誘導加熱装置の駆動制御部が電子複写機の本体の制御部と独立して立ち上げ処理を実行する場合について説明したが、これに限らず、第２の実施例として、電子複写機の本体の制御部において定着装置の誘導加熱装置の駆動制御部での立ち上げ処理を制御する場合も同様に実施できる。
【００６７】
この場合、図１から図６の構成は同一である。ただし、本体側回路基板９０の制御部９１に出力端９１ａからの信号が、コイル５２への高周波電流の供給と停止を示すものに変更し、たとえばＬレベルの際、コイル５２への高周波電流の供給を示し、Ｈレベルの際、コイル５２への高周波電流の停止を示す。
【００６８】
次に、電源オン時の立ち上げ処理を、図８に示すフローチャートを参照しつつ説明する。
【００６９】
すなわち、図示しない電源スイッチがオンされた際（電源オン時）、本体側回路基板９０の制御部９１による立ち上げ処理つまり定着装置４０の誘導加熱装置５０以外の個所の立ち上げ処理を開始し、誘導加熱装置５０の回路基板６０側の動作制御部６６にコイル５２への高周波電流の供給を通知する（ＳＴ３１）。
【００７０】
これにより、動作制御部６６は、上記通知により、立ち上げ処理つまりコイル５２への高周波電流の供給を開始する。
【００７１】
この動作制御部６６は、エラーを判断せずに正常に動作している際、このステータスを本体側回路基板９０の制御部９１に通知する。また、動作制御部６６は、エラーを判断した際、このステータスを本体側回路基板９０の制御部９１に通知する。
【００７２】
上記制御部９１は、誘導加熱装置５０の動作制御部６６からエラー信号が供給されず（ＳＴ３２）、しかもサービスモードが選択されなかった場合に（ＳＴ３３）、サーミスタ４５からの検知温度が所定温度に達した際、プレラン開始温度と判断し（ＳＴ３４）、プレラン処理を開始する（ＳＴ３５）。すなわち、制御部９１は定着装置４０の加熱ローラ４１を回転させ、加熱ローラ４１による全体の表面温度を均一化させる。この後、制御部９１は他の初期処理が終了した時点で、レディ状態となる。
【００７３】
また、制御部９１は、上記ステップ３２により誘導加熱装置５０の動作制御部６６からエラー信号が供給された際、エラー処理を行い、誘導加熱装置５０の回路基板６０側の動作制御部６６にコイル５２への高周波電流の停止を通知する（ＳＴ３６）。
【００７４】
これにより、動作制御部６６は、立ち上げ処理つまりコイル５２への高周波電流の供給を停止する。
【００７５】
また、制御部９１は、上記ステップ３３によりサービスモードが選択された場合に、誘導加熱装置５０の回路基板６０側の動作制御部６６にコイル５２への高周波電流の停止を通知し（ＳＴ３６）、サービスモードの処理を行う。
【００７６】
これにより、動作制御部６６は、立ち上げ処理つまりコイル５２への高周波電流の供給を停止する。
【図面の簡単な説明】
【００７７】
【図１】電子複写機の全体的な構成を示す図。
【図２】定着装置の構成を示す図。
【図３】誘導加熱装置の要部の構成を示す図。
【図４】誘導加熱装置と回路基板との接続を示す図。
【図５】誘導加熱装置と本体の電気回路のブロック図。
【図６】インターフェース回路の概略構成を示すブロック図。
【図７】第１の実施例における電源オン時の立ち上げ処理を説明するためのフローチャート。
【図８】第２の実施例における電源オン時の立ち上げ処理を説明するためのフローチャート。
【符号の説明】
【００７８】
４０…定着装置、５０…誘導加熱装置、６６…駆動制御部、９１…本体制御部
【図１】
2005134918.tif 000003
【図２】
2005134918.tif 000004
【図３】
2005134918.tif 000005
【図４】
2005134918.tif 000006
【図５】
2005134918.tif 000007
【図６】
2005134918.tif 000008
【図７】
2005134918.tif 000009
【図８】
2005134918.tif 000010